(57)【要約】【課題】異音が発生する状態を改善することができるカッター装置および印字装置を提供する。【解決手段】カッター装置は、固定刃と、弾性部材と、調節部材と、可動刃と、を備える。固定刃は、刃部を有する。弾性部材は、前記固定刃を弾性的に付勢する。調節部材は、前記弾性部材が前記固定刃を付勢する力の大きさを調節する。可動刃は、回動ないし回転する刃部を有し、前記固定刃に対して切断対象物の搬送路を介して対向する。【選択図】図５
2016078348.tif 000002
【特許請求の範囲】
【請求項１】
刃部を有する固定刃と、
前記固定刃を弾性的に付勢する弾性部材と、
前記弾性部材が前記固定刃を付勢する力の大きさを調節する調節部材と、
回動ないし回転する刃部を有し、前記固定刃に対して切断対象物の搬送路を介して対向する可動刃と、
を備えるカッター装置。
【請求項２】
前記弾性部材は、前記固定刃を付勢する力により前記固定刃を押圧する
ことを特徴とする請求項１に記載のカッター装置。
【請求項３】
前記調節部材は、前記固定刃を付勢する力の大きさを、段階的または連続的に変更することを特徴とする請求項１または２に記載のカッター装置。
【請求項４】
前記弾性部材は、ばねであって、
前記調節部材は、前記ばねの変位量を調節することにより、前記固定刃を付勢する力の大きさを調節する
ことを特徴とする請求項１〜３のいずれか１つに記載のカッター装置。
【請求項５】
帯状の対象物に印字する印字部と、
前記印字部の用紙搬送方向下流側に位置し、前記印字部を経由した前記対象物を切断する請求項１〜４のいずれか一つに記載のカッター装置と、
を備える印字装置。
【発明の詳細な説明】
【技術分野】
【０００１】
本発明の実施形態は、カッター装置および印字装置に関する。
【背景技術】
【０００２】
従来、固定刃と可動刃とを有するカッター装置が、用いられている。このようなカッター装置は、可動刃を、固定刃に対して動かすことにより、紙を切断する。固定刃は、フレームに支持されている。また、固定刃は、弾性による多少の可動範囲を有する。固定刃を弾性的に移動可能とすることで、可動刃と固定刃とが接触する力を適切にしている。
【０００３】
しかしながら、上述のような構成のカッター装置であっても、固定刃や可動刃の状態によっては、切断動作中に、異音（異常音、ノイズ）が発生することがある。この原因としては、例えば、下記の（１）、（２）などが考えられる。
（１）固定刃に上記弾性を生じさせる部材のばらつきによって、固定刃と可動刃との当たりが強すぎる状態が生じたから。
（２）経年使用に伴う磨耗などのために固定刃ないし可動刃に生じた段差によって、固定刃と可動刃との摺動中に衝撃が発生するようになったから。
【０００４】
異音の発生は、不快であるばかりでなく、固定刃ないし可動刃に異常があることを示唆する。異音が発生する場合、固定刃と可動刃とが好ましい状態で噛み合っていない可能性が高い。よって、異音が発生する状態は修正されるべきであるが、固定刃や可動刃の交換などの大掛かりな修理に先立つ簡便な手法が望まれている。
【発明の概要】
【発明が解決しようとする課題】
【０００５】
本発明が解決しようとする課題は、異音が発生する状態を改善することができるカッター装置および印字装置を提供することである。
【課題を解決するための手段】
【０００６】
実施形態のカッター装置は、固定刃と、弾性部材と、調節部材と、可動刃と、を備える。固定刃は、刃部を有する。弾性部材は、前記固定刃を弾性的に付勢する。調節部材は、前記弾性部材が前記固定刃を付勢する力の大きさを調節する。可動刃は、回動ないし回転する刃部を有し、前記固定刃に対して切断対象物の搬送路を介して対向する。
【図面の簡単な説明】
【０００７】
【図１】図１は、実施形態のレシートプリンタの構造を概略的に示す縦断右側面図である。
【図２】図２は、実施形態の用紙切断部の構造を示す用紙搬送路の下流側上方から見下ろした斜視図である。
【図３】図３は、実施形態の調節部材の外観を示す斜視図である。
【図４】図４は、実施形態の調節部材とトーションバネ他周辺部材との位置関係を説明する平面図である。
【図５】図５は、実施形態の調節部材とトーションバネ他周辺部材との位置関係を示すとともに、調節部材の働きを説明する左側面図である。
【図６】図６は、実施形態の調節部材とトーションバネ他周辺部材との位置関係を示すとともに、調節部材の働きを説明する左側面図である。
【発明を実施するための形態】
【０００８】
実施形態について図面を用いて説明する。図１は、本実施形態のレシートプリンタ（印字装置）１の構造を概略的に示す縦断右側面図である。図１に示すレシートプリンタ１は、ＰＯＳ（Point  Of  Sales）端末等に用いられているレシート用紙Ｐに印字するプリンタである。
【０００９】
レシートプリンタ１は、筐体２、用紙収納部３、用紙搬送路４、印字部５、用紙切断部（カッター装置）６などを備えている。
【００１０】
筐体２は、上記各部（用紙収納部３、用紙搬送路４、印字部５、用紙切断部６など）を収納する容器である。筐体２は、本体部２１とカバー部２２とを有している。本体部２１は、上面開口の箱である。カバー部２２は、本体部２１の開口を閉じる蓋である。カバー部２２は、本体部２１に、筐体２の背面側において、回動軸２３によって回動自在に取り付けられている。カバー部２２が本体部２１の開口を閉じた状態で、筐体２の正面側における本体部２１とカバー部２２との間に、排紙口２４が形成される。排紙口２４は、レシート用紙Ｐを排出する口である。
【００１１】
用紙収納部３は、帯状のレシート用紙Ｐの巻かれた部分を収納する。用紙搬送路４は、用紙収納部３から引き出したレシート用紙Ｐの通路である。用紙搬送路４は、カバー部２２が本体部２１の開口を閉じた状態で形成される。つまり、本体部２１が開放された状態では、用紙搬送路４も開放される。
【００１２】
印字部５は、サーマルヘッド５１とプラテンローラ５２とを有している。サーマルヘッド５１とプラテンローラ５２とは、用紙搬送路４を介して対向する。
【００１３】
プラテンローラ５２は、本体部２１内に回転自在に設けられ、また、モータＭの駆動力を伝達されて回転する。プラテンローラ５２は、回転することによって、サーマルヘッド５１との間のレシート用紙Ｐを搬送する。
【００１４】
サーマルヘッド５１は、カバー部２２の内側面に、取付部材５３により取り付けられている。取付部材５３は、サーマルヘッド５１を付勢してプラテンローラ５２に圧接させる。サーマルヘッド５１は、プラテンローラ５２との間のレシート用紙Ｐを加熱することによってレシート用紙Ｐに印字する。なお、本実施形態において、レシート用紙Ｐは、感熱紙である。
【００１５】
用紙切断部６は、印字部５の用紙搬送方向下流側に位置する。用紙切断部６は、印字部５を経由したレシート用紙Ｐを、所定の位置において切断する。切断されたレシート用紙Ｐは、排紙口２４から取り出される。
【００１６】
図２は、用紙切断部６の構造を示す用紙搬送路４の下流側上方から見下ろした斜視図である。本図の図示範囲の手前に、排紙口２４が位置する。
【００１７】
用紙切断部６は、固定刃６１、可動刃６２、一対の固定刃保持部材６３，６４、可動刃保持部材６５、カム部材６６、トーションバネ６７、ストッパー部材（不図示）などを備えている。
【００１８】
固定刃６１および可動刃６２は、矩形状に厚みを持たせた外形をなしている。以下、固定刃６１および可動刃６２の説明において、便宜上、固定刃６１および可動刃６２を、概ね矩形として捉えて、形状等を表現する。
【００１９】
固定刃６１は、一方の長辺に、刃部６１１を有している。また、固定刃６１は、刃部６１１と対の長辺に沿って設けられた軸６１２を有している。軸６１２は、両の短辺から突出し、それらの突端部が、固定刃保持部材６３，６４に、回転自在に保持されている。
【００２０】
固定刃保持部材６３，６４は、カバー部２２に固定された矩形の板金材であり、軸６１２の長手方向に直交する。固定刃６１は、軸６１２を回動軸として所定範囲において回動可能である。そして、刃部６１１は、軸６１２の下方に位置し、概ね下向きになっている。固定刃６１は、軸６１２よりも刃部６１１を用紙搬送方向上流側に位置させている。また、固定刃６１は、矩形の面を、鉛直ないし水平でなく斜めに向けている。
【００２１】
軸６１２の一端部は、トーションバネ６７のコイル状部分６７０に挿し込まれている。該トーションバネ６７の一方の端部である押圧端６７１は、固定刃６１の用紙搬送方向上流側の面に当てられている。トーションバネ６７の他方の端部である調圧端６７２は、後述の調節部材６８（図３参照）によって上から押さえつけられている。
【００２２】
これにより、固定刃６１にはトーションバネ６７による弾性力が働く。つまり、固定刃６１を、トーションバネ６７が、弾性的に押圧する。これにより、刃部６１１が用紙搬送方向下流側へ向かうよう付勢される。そして、該刃部６１１の用紙搬送方向下流側に配されたストッパー部材が、固定刃６１の回動を制限する。これにより、固定刃６１の基本的な位置が決定されている。
【００２３】
ここで、固定刃保持部材６３，６４およびストッパー部材は、支持部を構成する。該支持部は、固定刃６１を、刃部６１１の延在方向に直交する可動方向に所定の可動範囲で移動可能に支持する。
【００２４】
可動刃６２は、一方の長辺に、刃部６２１を有している。また、可動刃６２は、刃部６２１と対の長辺に沿って設けられた軸６２２を有している。軸６２２は、両の短辺から突出し、それらの突端部が、可動刃保持部材６５に、回転自在に保持されている。可動刃保持部材６５は、本体部２１に固定された曲げ板金材である。
【００２５】
可動刃６２は、一方の短辺における刃部６２１寄りの位置に、軸６２２に平行な軸６２３を有している。この軸６２３は、カム部材６６に連結され、該カム部材６６などを介してモータＭの駆動力を受ける。これにより、可動刃６２は、回動する。
【００２６】
可動刃６２が回動することにより、刃部６２１は、図２における奥側から手前上方へ向かって移動する。該移動時に、刃部６２１は、刃部６１１に接する。そして、可動刃６２の回動に従って、刃部６２１と刃部６１１との接点が移動する。該接点の移動により、レシート用紙Ｐが切断される。
【００２７】
刃部６２１と刃部６１１とが接触する際、刃部６２１と刃部６１１との間の力が適切でないと、レシート用紙Ｐの切断に不具合が生じたり、あるいは、異音が発生したりする。この力は、出荷時に適切に調整されるが、経年により不適切な状態に変化することがある。そこで、本実施形態の用紙切断部６は、上述の刃部６２１と刃部６１１との間の力を適切にするための調節部材６８（図３参照）を備えている。
【００２８】
図３は、調節部材６８の外観を示す斜視図である。図４は、調節部材６８とトーションバネ６７他周辺部材との位置関係を説明する平面図である。図５および図６は、調節部材６８とトーションバネ６７他周辺部材との位置関係を示すとともに、調節部材６８の働きを説明する左側面図である。
【００２９】
調節部材６８は、スライド駒部６８１、摘まみ部６８２および首部６８３を備えている。
【００３０】
スライド駒部６８１は、薄い楔形であって、上面６８１ａが水平面、下面６８１ｂが斜面になっている。また、上面６８１ａおよび下面６８１ｂは、長方形状であり、長手方向を用紙搬送方向にほぼ一致させている。上面６８１ａと下面６８１ｂとの距離は、用紙搬送方向下流側ほど長い。
【００３１】
下面６８１ｂには、複数本の溝６８１ｃ〜６８１ｅが設けられている。溝６８１ｃ〜６８１ｅは、下面６８１ｂの短手方向にほぼ平行である。溝６８１ｃ〜６８１ｅの寸法は、ほぼ均一である。したがって、溝６８１ｃ〜６８１ｅの底から上面６８１ａまでの距離が、各々異なる。この距離の差を、トーションバネ６７の変位量の調節に利用する。
【００３２】
これらの溝６８１ｃ〜６８１ｅのいずれかに、トーションバネ６７の調圧端６７２が、選択的に填まり込む。調圧端６７２が填まり込む溝６８１ｃ〜６８１ｅを変更することによって、トーションバネ６７の変位量が調節されて、トーションバネ６７の付勢力が変化する。
【００３３】
摘まみ部６８２は、首部６８３よりも幅広に形成されている。首部６８３は、摘まみ部６８２をスライド駒部６８１の上面６８１ａに接続する。
【００３４】
用紙切断部６は、天板６９を有している。天板６９は、固定刃６１や周辺部材を上から覆う板金である。この天板６９には、孔６９１が設けられている。この孔６９１を貫通して、摘まみ部６８２が、天板６９の上面に突出する。
【００３５】
孔６９１は、Ｌ字型に形成されている。用紙搬送方向奥側がＬ字の底辺部分（横線部分）６９１ａに相当し、Ｌ字の縦線部分６９１ｂに、首部６８３が填まり込む。底辺部分６９１ａの寸法は、摘まみ部６８２が下から上へと貫通可能な程度である。また、縦線部分６９１ｂの幅寸法は、首部６８３の幅よりもやや大きい程度である。そして、縦線部分６９１ｂの長さ寸法（Ｌ字の屈曲部を含まない）は、溝６８１ｃ〜６８１ｅの存在範囲の用紙搬送方向寸法よりも大きい。
【００３６】
図５は、トーションバネ６７による付勢力を最も弱めた場合を示している。また、図６はトーションバネ６７の付勢力を最も強めた場合を示している。
【００３７】
以下、上述のような構成のレシートプリンタ１が備える用紙切断部６における調節部材６８による調節について説明する。この調節は、刃部６２１と刃部６１１とが接触する際、レシート用紙Ｐの切断に不具合が生じたり、あるいは、異音が発生したりする不具合が生じた場合に行う。
【００３８】
調節部材６８を孔６９１の縦線部分６９１ｂに沿ってスライドさせると、トーションバネ６７の調圧端６７２が、溝６８１ｃ〜６８１ｅのいずれかから他のいずれかへと移動する。これにより、トーションバネ６７の付勢力が変化する。そしてこれにより、切断時に固定刃６１と可動刃６２との間にかかる力が、変化する。この力を適切に調節してやることにより、刃部６２１と刃部６１１との間の力が適切になる。そしてこれにより、レシート用紙Ｐの切断の不具合や異音が改善される。
【００３９】
このように、本実施形態によれば、異音が発生する状態を改善することができるレシートプリンタ１および用紙切断部６を提供することができる。そして、これにより、固定刃や可動刃の交換などの大掛かりな修理に先立つ簡便な手法を提供することができる。
【００４０】
（上記実施形態の変形例）
上記実施形態では、調節部材６８は、固定刃６１を付勢する力の大きさを、段階的（不連続的）に変更しているが、実施にあたっては、これに限らない。つまり、調節部材は、固定刃６１を付勢する力の大きさを、連続的に変更してもよい。
【００４１】
また、上記実施形態では、弾性部材としてトーションバネ６７を用いたが、実施にあたっては、弾性部材として、板ばね、コイルばねなど、他のばねを用いてもよい。それらの場合、調節部材は、各々、上記実施形態と異なるものが想定される。例えば、調節部材として、上記実施形態のようなスライドさせるものの他、偏心カムを用いるもの、ダイヤルを用いるもの、などが考えられる。
【００４２】
さらに、上記実施形態では、弾性部材としてのトーションバネ６７が、刃部６１１を用紙搬送方向下流側へと付勢するが、実施にあたっては、これに限られない。実施にあたっては、弾性部材は、固定刃の可動範囲の一方の端へ刃部を向かわせるものであればよい。付勢方向は、カッター装置（実施形態では用紙切断部６）の構造により適する向きに決定する。
【００４３】
そして、上記実施形態では、可動刃６２は回動するものであったが、実施にあたっては、回転するものであってもよい。
【００４４】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４５】
１…レシートプリンタ、
２…筐体、２１…本体部、２２…カバー部、２３…回動軸、２４…排紙口、
３…用紙収納部、
４…用紙搬送路、
５…印字部、５１…サーマルヘッド、５２…プラテンローラ、５３…取付部材、
６…用紙切断部、
６１…固定刃、６１１…刃部、６１２…軸、
６２…可動刃、６２１…刃部、６２２…軸、６２３…軸、
６３，６４…固定刃保持部材、
６５…可動刃保持部材、
６６…カム部材、
６７…トーションバネ、６７１…押圧端、６７２…調圧端、
６８…調節部材、
６８１…スライド駒部、６８１ａ…上面、６８１ｂ…下面、６８１ｃ〜ｅ…溝、
６８２…摘まみ部、
６８３…首部、
６９…天板、
６９１…孔、６９１ａ…底辺部分、６９１ｂ…縦線部分。
【先行技術文献】
【特許文献】
【００４６】
【特許文献１】特開２００４−１０６５０２号公報
【図１】
2016078348.tif 000003
【図２】
2016078348.tif 000004
【図３】
2016078348.tif 000005
【図４】
2016078348.tif 000006
【図５】
2016078348.tif 000007
【図６】
2016078348.tif 000008